(57)【要約】 【課題】  身体に負担をかけずに楽な姿勢で机上で休息を取ることができ、また、使用者の体型に合わせて前後位置、高さ及び角度を調節可能な卓上用頭部支持具を提供する。【解決手段】  卓上式頭部支持具Ｐは、台座１と、台座１に直立して配置される支柱部２０と、支柱部２０の上端側に固定される頭部載置部１０を供える。支柱部２０は、台座１に直立して配置される支持板２４と、支持板２４の上部に配置されて、複数の貫通孔２６ａを有する調節板２６を備える。支持板２４は、上下方向、前後方向にそれぞれ沿って形成される複数の貫通孔２４ａを有する。支持板２４と調節板２６のそれぞれの貫通孔２４ａ，２６ａのうち任意の貫通孔に挿通される締結部材を利用して、調節板２６が、支持板２４に対して所望の高さ、前後方向の位置及び角度に配置された状態で支持板２４と締結される。【選択図】  図１
0003152972.tif 000002
【実用新案登録請求の範囲】
【請求項１】
テーブル類の上で頭部を載置させて休息をとるための卓上用頭部支持具であって、
台座と、前記台座に直立して配置される支柱部と、前記支柱部の上端に固定されて上面側にクッション部を配した頭部載置部と、を備え、
前記支柱部が、前記台座に対して垂直に、かつ前後方向に沿って配設される支持板と、前記支持板から上方に突出するように配置されて、上端側に頭部載置部が取着される調節板と、を備え、
前記支持板が、上下方向、前後方向に沿ってそれぞれ形成される複数の貫通孔を有し、前記調節板が複数の貫通孔を有し、
前記支持板及び調節板のそれぞれの貫通孔のうちの任意の貫通孔に挿通される締結部材を利用して、前記調節板が、前記支持板に対して所望の高さ、前後方向の位置及び角度に配置された状態で前記支持板と締結される
ことを特徴とする卓上用頭部支持具。
【請求項２】
請求項１に記載の卓上用頭部支持具であって、
前記支持板が、相互に平行に配置され、各々水平方向に対応する位置に前記複数の貫通孔を有する２枚であって、
前記調節板が前記２枚の支持板に挟持されて前記締結部材により締結される
ことを特徴とする卓上用頭部支持具。
【請求項３】
請求項１または請求項２に記載の卓上用頭部支持具であって、
前記支柱部が、下端部に、前記台座に対して前後方向の位置を調節可能に固定されるフランジ部を備えることを特徴とする卓上用頭部支持具。
【請求項４】
請求項１乃至請求項３のいずれかに記載の卓上用頭部支持具であって、前記台座が、使用時に使用者側に配置される端部から、テーブル類の縁に係止可能に下方に突設する滑り止め板を備えることを特徴とする卓上用頭部支持具。
【請求項５】
請求項１乃至請求項４のいずれかに記載の卓上用頭部支持具であって、
前記調節板が上端側に回動自在に固定される角度調整板を備え、前記頭部載置部が前記角度調節板に取り付けられる
ことを特徴とする卓上用頭部支持具。
【考案の詳細な説明】
【技術分野】
【０００１】
本考案は卓上、机上で仮眠をとる際等に頭部を支持するのに用いられる卓上用頭部支持具に関する。
【背景技術】
【０００２】
従来、机で仮眠をとる際には、腕枕をして机上にうつ伏せになって休憩する。
【０００３】
なお、出願人の知る限りにおいては、記載すべき先行技術文献情報は無い。
【考案の概要】
【考案が解決しようとする課題】
【０００４】
腕枕をして机上にうつ伏せになって仮眠する場合には、頭部を机の上面に近づけるために背中を折り曲げることとなるため、首や背中、腰が痛くなったり、頭の重さのために腕が痺れたり、肩にかかる負担が大きいという問題点がある。
【０００５】
そこで、本考案は、首や背中、腰、肩や腕といった身体に負担をかけずに楽な姿勢で机上で休息を取ることができ、また、使用者の体型に合わせて前後位置、高さ及び角度を調節可能な卓上用頭部支持具を提供することを目的とする。
【課題を解決するための手段】
【０００６】
本考案にかかる卓上用頭部支持具は、台座と、台座に直立して配置される支柱部と、支柱部の上端に固定されて上面側にクッション部を配した頭部載置部と、を備える。支柱部は、台座に対して垂直に、かつ前後方向に沿って配設される支持板と、支持板から上方に突出するように配置されて、上端側に頭部載置部が取着される調節板と、を備える。支持板は、上下方向、前後方向に沿ってそれぞれ形成される複数の貫通孔を有し、調節板が複数の貫通孔を有する。調節板が、支持板及び調節板のそれぞれの貫通孔のうちの任意の貫通孔に挿通される締結部材を利用して、支持板と締結される。
【０００７】
このような構成では、締結部材により締結する支持板及び調節板のそれぞれの貫通孔の位置を変更し、また、調節板を締結部材が挿通される貫通孔を中心として回動させることにより、調節板の支持板に対する高さ、前後方向の位置及び角度を変更できるので、調節板の上端側に取着された頭部載置部の高さ、前後方向の位置及び角度を容易に調節することができる。そのため、異なる体型の使用者が使用しても、各人が体型に合わせ、楽な姿勢で、卓上で休息をとることができる。また、卓上でうつ伏せになって休憩する場合とは異なり、背中を大きく曲げなくても済むため、首や背中、腰、肩や腕等に負担をかけずに休憩することができる。
【０００８】
なお、支柱部の支持板を、相互に平行に配置され、各々水平方向に対応する位置に上述の複数の貫通孔を有する２枚とし、調節板が２枚の支持板に挟持されて締結部材により締結される構成とすれば、調節板がより安定して支持板に支持されることになる。
【０００９】
また、上述の卓上用頭部支持具において、支柱部の支持板は直接台座に固定される構成としてもよいが、支柱部の下端部に、台座に対して前後方向の位置を調節可能に固定されるフランジ部を備える構成としてもよい。このような構成では、上述の支持板と調節板による前後位置の調節に加え、フランジ部の移動により簡易に前後の位置の調節が可能となる。
【００１０】
また、上述の卓上用頭部支持具において、台座が、使用時に使用者側に配置される端部から、テーブル類の縁に係止可能に下方に突設する滑り止め板を備える構成とすれば、滑り止め板がストッパーとなって、使用時に卓上頭部支持具が頭部の重みにより前方にずれるように移動することを防止することができる。
【００１１】
さらに、調節板が上端側に回動自在に固定される角度調整板を備えて、頭部載置部が角度調節板に取り付けられる構成とすれば、上述の支持板と調節板による角度の調節に加え、さらに頭部載置部の角度を微調整できることとなる。  
【図面の簡単な説明】
【００１２】
【図１】本考案の実施例である卓上用頭部支持具の斜視図である。
【図２】実施例の卓上用頭部支持具の分解斜視図である。
【図３】実施例の卓上用頭部支持具における支柱部の分解斜視図である。
【図４】実施例の卓上用頭部支持具の側面図である。
【図５】実施例の卓上用頭部支持具の使用状態を説明する図である。
【図６】他の実施例の卓上用頭部支持具を示す斜視図である。
【考案を実施するための最良の形態】
【００１３】
以下に本考案の望ましい実施形態を図面に基づいて説明する。
【００１４】
図１に示すように、本考案に係る卓上用頭部支持具（以下、単に「頭部支持具」という。）Ｐは、台座１と、台座１に対して直立して配置される支柱部２０と、支柱部２０の上端に固定される頭部載置部１０を備える。
【００１５】
台座１は、前後に長い矩形の板状に形成され、使用時に、テーブルや机の上面と接するように配置されるものである。本実施形態では、図２に示すように、台座１は前後方向に沿って２列に配置された、複数の貫通孔４を備えている。この貫通孔４は、支柱部２０の後述するフランジ部２２の下面に設けられる突起２２ａを挿通させて、台座１に対する支柱部２０の前後方向の位置を決めるために用いられるもので、本実施形態では、各列の貫通孔４は、等間隔に形成され、また、左右方向で隣接する貫通孔４，４は、前後方向における同一の位置に形成されている。台座１の後端１ａ（使用時に使用者に近い手前側の端部）には、台座１に対して略垂直に下方に突設される滑り止め板５が配置されている。この滑り止め板５は、使用時に、頭部支持具Ｐが頭部の重みにより前方にずれるように移動することを防止するために、使用者の胴部の前に位置するテーブルの縁に引っ掛けるようにして使用されるものである。本実施形態では、滑り止め板５は台座１の後端１ａに蝶番５ａにより取り付けられ、不使用時には内側に折り畳み可能に形成されている。また、本実施形態では、台座１の前端１ｂ（使用時に使用者から遠い側の端部）には、滑り止め板５と同様に、下方に突出し、蝶番７ａにより折り畳み可能に取付けられる起立板７が配設されている。起立板７は、使用時に、好みで開くかまたは畳むかして（図２および図１の２点鎖線参照）、頭部載置部１０の高さや角度を変えるために使用される。
【００１６】
頭部載置部１０は、使用時に額や顎を載せる部位であり、載置台１１と、クッション部１３と、を備える。クッション部１３は、断面Ｌ字形に形成された載置台１１の上面に、面ファスナー１５により取り外し可能に取り付けられている（図２参照）。本実施形態では、クッション部１３には、板状の発泡樹脂を使用しているが、クッション部１３としては、勿論、中に綿やそば殻等を詰めた小型の枕など、任意のものを使用してよい。この頭部載置部１０は、後述するように支柱部２０の上端側、本実施形態では、支柱部２０の後述する角度調節板２８、に取付固定されている。
【００１７】
支柱部２０は、図２および図３に示すように、フランジ部２２と、支持板２４と、調節板２６と、を備えて構成される。
【００１８】
フランジ部２２は、上述の台座１に前後方向の位置を調節可能に固定される部分であり、本実施形態では、前後に長い矩形の板状に形成され、その左右方向の幅は、台座１の左右方向の幅と同一としている。フランジ部２２の後端側（使用時に使用者に近い手前側）における裏面（下面）には、図１〜３に示すように、４箇所に突起２２ａが設けられている。この突起２２ａは、上述の台座１に形成された貫通孔４に対応する位置に設けられ、使用時、複数の貫通孔４のうちの任意の貫通孔４に挿通されて、フランジ部２２、言い換えれば支柱部２０、を前後方向における位置を調節可能に台座１に固定することとなる。
【００１９】
支持板２４は、フランジ部２２に対して垂直に、かつ前後方向に沿って固定される板状としている。本実施形態では支持板２４は２枚使用され、その２枚の支持板２４が、調節板２６を間に配置可能な間隔を開けた状態で相互に平行に配置されている。各支持板２４には、左右方向に貫通する複数の貫通孔２４ａが形成され、両支持板２４の貫通孔２４ａは水平方向において対応する位置に形成されている。各支持板２４の貫通孔２４ａは、支持板２４の上下方向、前後方向に沿ってそれぞれ複数（本実施形態では、各支持板２４の前後方向に３列、上下方向に４段の合計１２個）形成されている。
【００２０】
調節板２６は、図１〜３に示すように、上述の２枚の支持板２４に挟持されるように配置される板状として、下端側に左右方向に貫通する複数の貫通孔２６ａを備える。本実施形態の場合、貫通孔２６ａは上下方向に沿って等間隔に２列に形成されている。調節板２６は、２枚の支持板２４の間に挿入されて、図４に示すように、使用者の所望の高さ、前後方向の位置に合わせて、支持板２４と調節板２６のそれぞれの任意の貫通孔２４ａと２６ａにボルト３０を挿通させて蝶ナット３２に締めることにより、支持板２４と締結される。この時、蝶ナット３２を緩めた状態では、調節板２６は、ボルト３０が挿通された貫通孔２６ａを中心として回動可能となるから、支持板２４に対する角度も調節可能となる。本実施形態の調節板２６はさらに、上端側に五角形板状の角度調節板２８を備える。角度調節板２８は、図３に示すように、下端側に挿通孔２８ｂを備え、この挿通孔２８ｂと、調節板２６の上端側に設けられた挿通孔２６ｂにボルト３０を挿通させて、蝶ナット３２に締めこむことにより調節板２６に対して回動自在に締結されている。上述の頭部載置部１０は、角度調節板２６の五角形の長い一辺に取付固定されて、蝶ナット３２を緩めながら角度調節板２８の角度を調節することにより、使用時の角度を調節されることとなる。
【００２１】
このように構成された卓上用頭部支持具Ｐを使用する際には、図５に示すように、滑り止め板５を机やテーブルＴの縁に当てるようにして台座１を卓上に置き、支柱部２０のフランジ部２２の下面に設けられた突起２２ａを台座１の任意の貫通孔４に挿入して支柱部２０の前後方向の位置決めをする。その後、図１に示すように、頭部載置部１０が使用者の体格及び使い心地のよい位置に合うように、支柱部２０の２枚の支持板２４間に挟持された調節板２６を移動させて、その位置で調節板２６と支持板２４とのそれぞれの任意の貫通孔２６ａと２４ａとにボルト３０を挿通させる。そして、調節板２６の角度を調節した上でボルト３０を蝶ナット３２に締めこむことにより、調節板２６と支持板２４とを締結する。最後に、頭部載置部１０の角度を、角度調節板２８のボルト３０と蝶ナット３２を利用して微調整し、さらに好みで台座１の起立板７を起こすか畳むかすれば、額あるいは顎を頭部載置部１０のクッション部１３の上に載置して休憩することができる（図５参照）。
【００２２】
本考案に係る卓上用頭部支持具Ｐでは、支柱部２０が、上下方向及び前後方向に沿って形成された複数の貫通孔２４ａを有する支持板２４と、支持板２４から上方に突出するように配置されて複数の貫通孔２６ａを有する調節板２６とからなる。この支持板２４と調節板２６とがそれぞれの任意の貫通孔２４ａ及び２６ａに挿通される締結部材（ボルト３０と蝶ナット３２）により締結される構成である。
【００２３】
この構成によれば、締結部材により締結する貫通孔２４ａ、２６ａの位置を変更し、また、調節板２６をボルト３０が挿通される貫通孔２６ａを中心として回動させることにより、調節板２６の支持板２４に対する高さ、前後方向の位置及び角度を変更できるので、調節板２６の上端側に取り付けられた頭部載置部１０の高さ、前後方向の位置及び角度を容易に調節することができる。このため、異なる体型の使用者が使用しても、各人が体型に合わせ、楽な姿勢で、卓上で休息をとることができる。また、卓上でうつ伏せになって休憩する場合とは異なり、背中を大きく曲げなくても済むため、首や背中、腰、肩や腕等に負担をかけずに休憩することができる。
【００２４】
なお、上述の実施形態では、支柱部２０は支持板２４を２枚備えて、調節板２６を２枚の支持板２４間に挟持させる構成としたが、支持板２４は１枚とし、その左右の面のいずれかに調節板２６を配置して、締結部材により締結する構成としてもよい。
【００２５】
また、上述の実施形態では、支柱部２０が、下端部にフランジ部２２を備え、フランジ部２２が台座１０に対して前後方向の位置を調節可能に固定される構成である。これによれば、上述の支持板２４と調節板２６による前後位置の調節に加え、フランジ部２２の移動により簡易に前後の位置の調節が可能となる。しかしながら、この点を考慮しなければ、支柱部２０は、図６に示す変形例の卓上用頭部支持具Ｐ２のように、フランジ部２２を備えず、支持板２４が直接台座１に固定される構成としてもよい。その場合には、支持板２４の前後方向の幅を長くし、貫通孔２４ａを前後方向に沿ってより多く形成すれば、フランジ部２２がある場合と同様の範囲で前後位置の調節が可能となる。また、フランジ部２２が配設される場合、上述の実施形態では、台座１に前後方向に複数配設された貫通孔４と、フランジ部２２の下面に形成された突起２２ａにより、前後方向の位置が調節される構成であるが、前後位置の調節方法はこれに限らず、例えば、フランジ部２２を台座１に対してスライドさせ、任意の位置で留めるとした構成としてもよい。
【００２６】
また、上述の実施形態の卓上用頭部支持具Ｐでは、台座１が、使用時に使用者側に配置される端部１ａから下方に突設する滑り止め板５を備えるため、使用時に滑り止め板がテーブルの縁に引っ掛かり、頭部支持具Ｐが頭部の重みにより前方にずれるように移動することを防止することができる。
【００２７】
さらに、上述の実施形態の卓上用頭部支持具Ｐでは、調節板２６が上端側に回動自在に固定される角度調節板２８を備え、頭部載置部１０が角度調節板２８に取付固定される構成としている。これによれば、上述の支持板２４と調節板２６による角度の調節に加え、さらに頭部載置部１０の角度の微調整が可能となる。しかし、この点を考慮しなければ、角度調節板２８を設けず、図６に示す変形例の卓上用頭部支持具Ｐ２のように、頭部載置部１０が直接調節板２６の上端側に固定される構成としてもよい。
【００２８】
なお、上述の実施形態では、支持板２４と調節板２６の締結および調節板２６と角度調節板２８の締結に使用される締結部材として、ボルト３０と蝶ナット３２を例示したが、締結部材はこれに限るものではなく、例えば、ノブ付きのボルトとナット等、任意の締結部材を使用してよい。さらには、支持板２４と調節板２６のそれぞれの貫通孔２４ａ及び２６ａにねじ溝を形成して、蝶ボルトやノブ付きボルトで締結することとしてもよい。
【符号の説明】
【００２９】
１  ・・・  台座
１０  ・・・  頭部載置部
１３  ・・・  クッション部
２０  ・・・  支柱部
２４  ・・・  支持板
２４ａ  ・・・  貫通孔
２６  ・・・  調節板
２６ａ  ・・・  貫通孔
３０  ・・・  締結部材（ボルト）
３２  ・・・  締結部材（蝶ナット）
Ｐ  ・・・  卓上用頭部支持具
【図１】
0003152972.tif 000003
【図２】
0003152972.tif 000004
【図３】
0003152972.tif 000005
【図４】
0003152972.tif 000006
【図５】
0003152972.tif 000007
【図６】
0003152972.tif 000008